(57)【要約】【課題】  形止め輪を簡便に取り外すことができる工具を提供する。【解決手段】  ローラ軸８に取り付けたＥ形止め輪７の装着開口７ａに対しガイド２のリムーバ部２ａの先端を挿入し、取手５で押し付ける。ホルダ１の当接部１ｃがＥリング７の脚部７ｂに突き当たっても取手５をさらに押すと、圧縮スプリング４がガイド２をローラ軸８側へ押し、先細のリムーバ部２ｂがＥ形止め輪７の装着開口７ａ内へ入り込み、Ｅ形止め輪７の脚部７ｂの間を若干押し広げ、Ｅ型止め輪７は簡単にローラ軸８から取り外せるようになる。ほとんどローラ軸８に工具を接触させず、またＥ形止め輪７にも一部表面に接触するだけなので、Ｅ形止め輪７やローラ軸８にストレスをほとんど与えず、ローラ軸８やＥ型止め輪７を再使用可能に取り外せる。【選択図】        図１
2005138228.tif 000002
【特許請求の範囲】
【請求項１】
軸部に装着したＥ型止め輪を除去するための工具であって、先端部をＥ型止め輪の装着開口部内側へ前記軸部の軸線に対して垂直方向から挿入可能で、前記装着開口部を拡開させ得る除去部材を備えることを特徴とするＥ型止め輪除去工具。
【請求項２】
請求項１のＥ型止め輪除去工具において、前記除去部材をスライド可能に保持するホルダを有することを特徴とするＥ型止め輪除去工具。
【請求項３】
請求項２のＥ型止め輪除去工具において、前記除去部材を前記ホルダに着脱可能に備えてなり、前記先端部のサイズの異なる除去部材を使用可能としてなることを特徴とするＥ型止め輪除去工具。
【請求項４】
請求項２または３のＥ型止め輪除去工具において、前記ホルダを取り付ける取手を有し、該取手が前記除去部材の収納部を備えることを特徴とするＥ型止め輪除去工具。
【請求項５】
請求項１ないし４のいずれかのＥ型止め輪除去工具において、前記先端部が前記軸部と干渉しないで前記装着開口部へ挿入可能な凹形状を有することを特徴とするＥ型止め輪除去工具。
【請求項６】
円柱状の軸部に装着したＥ型止め輪を除去するための工具であって、前記軸部と干渉しないで先端部をＥ型止め輪の装着開口部内側へ前記軸部の軸線に対して垂直方向から挿入可能で、前記装着開口部を拡開させ得る除去部材と、前記除去部材をスライド可能に保持するとともに前記先端部のサイズの異なる除去部材を使用可能とするために着脱可能に保持するホルダと、該ホルダに取り付けた前記除去部材を前記先端部が前記ホルダから突出するように押し出し付勢する付勢部材と、前記ホルダを取り付ける取手を有し、該取手が前記除去部材の収納部を備え、前記先端部が前記装着開口部へ挿入可能な凹形状を有するとともに、該先端部の近傍に位置する前記ホルダの先端部位が前記Ｅ型止め輪の前記装着開口部を形成する部位に当接可能な部位を有することを特徴とするＥ型止め輪除去工具。
【発明の詳細な説明】
【技術分野】
【０００１】
本発明は、画像形成装置等に使用しているＥ型止め輪を再使用できるようにかつ被締結部材のＥ型止め輪装着部分のキズ付きを防止を図りつつ除去可能とし、被締結部材の再使用も可能とするためにＥ型止め輪除去工具に関する。
【背景技術】
【０００２】
通称Ｅリングと称されるＥ形止め輪は、丸棒等の軸部材に形成した環状の溝に、工具や指先等で押込んで嵌めることによって、例えばローラのスラスト方向の締結に使用されており、これを取り外すには、ラジオペンチで挟んで引抜いたり、Ｅ形止め輪と軸部材との空隙にマイナスツマミドライバの先端を差込んでこじる等していた。
【０００３】
しかし、Ｅ形止め輪が回って挟み直したり、マイナスツマミドライバの先端が外れたりして取り外しが容易ではなく、繰返し力を掛けることによってＥ形止め輪や軸部材の表面に擦傷や圧痕を与えることが多かった。またＥ形止め輪に変形が生じやすく、再使用できなくなることも多かった。特にマイナスツマミドライバで除去しようとすると、Ｅ型止め輪の締結部とローラ外形の溝にツマミドライバ先端を差し込むため、どうしてもＥ型止め輪及び被締結部材が変形し、またキズが付くものとなっていた。また小サイズ（例えば３ｍｍ以下）のＥ形止め輪については、除去する溝幅が微小であるため除去に時間を要する点や、ツマミドライバ先端部が変形して使用できなくなりやすいという問題があった。
【０００４】
そこで、Ｅ形止め輪や軸部材を変形させたり傷めたりすることなく、Ｅ形止め輪を簡便に取り外すことができるとする専用の取り外し工具が提案されている（特許文献１参照）。
【特許文献１】実開平５−３６８号公報
【発明の開示】
【発明が解決しようとする課題】
【０００５】
上記特許文献に開示されている工具は、軸部材とＥ型止め輪との隙間に片状の部材を差し込んで取り外しに使用しているが、本発明はこれとは異なる方式でＥ形止め輪を簡便に取り外すことができる工具を提供することを目的とする。
【課題を解決するための手段】
【０００６】
本発明の請求項１に係るＥ型止め輪除去工具は、軸部に装着したＥ型止め輪を除去するための工具であって、先端部をＥ型止め輪の装着開口部内側へ前記軸部の軸線に対して垂直方向から挿入可能で、前記装着開口部を拡開させ得る除去部材を備えることを特徴とする。
【０００７】
請求項２に係るものは、請求項１のＥ型止め輪除去工具において、前記除去部材をスライド可能に保持するホルダを有することを特徴とする。
【０００８】
請求項３に係るものは、請求項２のＥ型止め輪除去工具において、前記除去部材を前記ホルダに着脱可能に備えてなり、前記先端部のサイズの異なる除去部材を使用可能としてなることを特徴とする。
【０００９】
請求項４に係るものは、請求項２または３のＥ型止め輪除去工具において、前記ホルダを取り付ける取手を有し、該取手が前記除去部材の収納部を備えることを特徴とする。
【００１０】
請求項５に係るものは、請求項１ないし４のいずれかのＥ型止め輪除去工具において、前記先端部が前記軸部と干渉しないで前記装着開口部へ挿入可能な凹形状を有することを特徴とする。
【００１１】
請求項６に係るものは、円柱状の軸部に装着したＥ型止め輪を除去するための工具であって、前記軸部と干渉しないで先端部をＥ型止め輪の装着開口部内側へ前記軸部の軸線に対して垂直方向から挿入可能で、前記装着開口部を拡開させ得る除去部材と、前記除去部材をスライド可能に保持するとともに前記先端部のサイズの異なる除去部材を使用可能とするために着脱可能に保持するホルダと、該ホルダに取り付けた前記除去部材を前記先端部が前記ホルダから突出するように押し出し付勢する付勢部材と、前記ホルダを取り付ける取手を有し、該取手が前記除去部材の収納部を備え、前記先端部が前記装着開口部へ挿入可能な凹形状を有するとともに、該先端部の近傍に位置する前記ホルダの先端部位が前記Ｅ型止め輪の前記装着開口部を形成する部位に当接可能な部位を有することを特徴とする。
【発明の効果】
【００１２】
本発明に係るＥ型止め輪除去工具は、軸等の被締結部材に締結してあるＥ型止め輪にストレスを与えずに取り外しを行うことができ、取り外したＥ型止め輪や被締結部材を再使用に供することも可能とする。
【発明を実施するための最良の形態】
【００１３】
以下本発明を実施するための最良の形態を、図に示す実施例を参照して説明する。
【実施例】
【００１４】
図１は本発明に係るＥ型止め輪除去工具の一実施例を示す平面図（Ａ）、側面図（Ｂ）及び正面図（Ｃ）である。本実施例のＥ型止め輪除去工具は、例えば画像形成装置に用いるローラ軸８の環状溝８ａに取り付けたＥリング７をローラ軸８から取り外すためのもので、ホルダ１、ガイド２、スペーサ３、圧縮スプリング４及び取手５からなる。なお図１（Ｂ）では取手５の図示を省略してある。図２は本実施例のホルダ１、ガイド２、スペーサ３及び取手５の分解平面図である。また図３は、本実施例の使用状態の平面図である。
【００１５】
ホルダ１は、図２（Ａ）に示すように、ガイド２及びスペーサ３を搭載する平坦部１ａと取手５に取り付ける基部１ｂとからなる。平坦部１ａには、その先端両側を折り曲げ形成してＥリング７の装着開口７ａを形成する脚部７ｂに突き当てる当接部１ｃを形成してある。また基部１ｂは、平坦部１ａ側が太い先細形状としてあり、取手５の中空部５ａ内へ差し込み固定できるようにしてある。また平坦部１ａには、ガイド２及びスペーサ３を取り付けるための段付きねじ６をねじ込むねじ穴１ｄが一対設けてあり、さらに基部１ｂ側には圧縮スプリング４を装着するための矩形の開口部１ｅが設けてある。開口部１ｅの基部側には、圧縮スプリング４の一端を嵌着するための突起１ｆが設けてある。なお当接部１ｃ間の部位１ｇは図示のように凹状に形成してあって、当接部１ｃをＥリング７の脚部７ｂに突き当てる際に干渉しないようにしてある。
【００１６】
ガイド２は、ホルダ１の平坦部より一回り小さい矩形で平板な基部２ａと、先端を凹状に形成したリムーバ部２ｂとからなり、基部２ａのほぼ中央部には段付きねじ６と係合させるための細長い開口２ｃが設けてある。また基部２ａの基端には、ホルダ１の突起１ｆに対向させて圧縮スプリング４を取り付けるための突起２ｄが設けてある。リムーバ部２ｂは、ローラ軸８に取り付けたＥリング７の脚部７ｂ間、すなわち装着開口７ａ内にローラ軸８の軸線に対して垂直方向から挿入できるようにやや先細の平面形状としてあり、先端はローラ軸８に対して干渉しないように凹状に形成してある。
【００１７】
スペーサ３は、ガイド２とほぼ同形状で若干長手方向寸法が短い基部３ａと、これもガイド２のリムーバ部２より若干短い寸法の先端部３ｂとからなり、基部３ｂのほぼ中央部に、段付きねじ６と係合させるための細長い開口３ｃが設けてある。
【００１８】
取手５は、ホルダ１の基部１ａを差し込むための中空部５ａを有する胴部５ｂと、胴部５ｂの先端側に設けた頭部５ｃとを段付きに形成してあり、胴部５ｂを握った操作者の手がホルダ１側へ滑り出ないようにしてある。また胴部５ｂには、ホルダ１を収納するためのホルダボックス部５ｄと、ガイド２を収納するためのガイドボックス部５ｅとが窪み状に設けてある。
【００１９】
次に本実施例の使用形態を説明する。組み立ては以下の手順で行う。まずホルダ１の上にガイド２を乗せ、その上にスペーサ３を載せ、２本の段付きネジ６を開口２ｃ、３ｃを通してホルダ１のネジ穴１ｄに締め付ける。次に、圧縮スプリング４をホルダ１の突起１ｆとガイド２の突起２ｄとの間にセットし、ガイド２をスライドさせることができるようにする。そしてホルダ１の１基部１ｂを取手５の胴部５ｂの中空部５ａに差し込む。
【００２０】
次に本実施例の工具によりＥ型止め輪７を外す使用形態を説明する。ローラ軸８に取り付けてあるＥ形止め輪７の装着開口７ａに対してガイド２のリムーバ部２ａの先端を挿入し、そのまま取手５をローラ軸８側へ押し付ける。すると、ホルダ１の当接部１ｃがＥリング７の脚部７ｂに突き当たってホルダ１はそれ以上は移動できなくなるが、取手５をさらに押すことにより圧縮スプリング４がガイド２をローラ軸８側へ押し、先細のリムーバ部２ｂが十分にＥ形止め輪７の装着開口７ａ内へ入り込む。すると、Ｅ形止め輪７の脚部７ｂの間がリムーバ部２ｂによって若干押し広げられることにより、Ｅ型止め輪７は簡単にローラ軸８の環状溝８ａから取り外すことができる。最終の取り外しは、操作者が手で行えばよい。すなわち、ほとんどローラ軸８にＥ型止め輪除去工具を接触させることもなく、またＥ形止め輪７に対しても脚部７ｂの一部表面に接触するだけで、Ｅ形止め輪７取り外せるので、Ｅ形止め輪７やローラ軸８にストレスをほとんど与えず、したがって変形させたり傷めたりすることがない。したがって、ローラ軸８はもちろん、取り外したＥ型止め輪７を再使用することができる。
【００２１】
Ｅ型止め輪７の異なる種々のサイズに対応するには、ホルダ１とガイド２を組み合せて交換することで対応できる。また、取手５のホルダボックス部５ｄとガイドボックス部５ｅにホルダ１とガイド２が収納できるので、同一工具にてホルダ１とガイドを組合せにて交換することでＥ型止め輪７のサイズに対応できる。
【００２２】
なお、ホルダ１やガイド２が破損したり摩耗したり等した場合、段付きネジ６を外すだけで容易に交換できる。
【図面の簡単な説明】
【００２３】
【図１】本発明に係るＥ型止め輪除去工具の一実施例を示す平面図（Ａ）、側面図（Ｂ）及び正面図（Ｃ）
【図２】本実施例のホルダ、ガイド、スペーサ及び取手の分解平面図
【図３】本実施例の使用状態の平面図
【符号の説明】
【００２４】
１：ホルダ
１ａ：ホルダの平坦部
１ｂ：同基部
１ｃ：同当接部
１ｄ：同ねじ穴
１ｅ：同開口部
１ｆ：同突起
１ｇ：同当接部間の部位
２：ガイド
２ａ：ガイドの基部
２ｂ：同リムーバ部
２ｃ：同開口
２ｄ：同突起
３：スペーサ
３ａ：スペーサの基部
３ｂ：同先端部
３ｃ：同開口
４：圧縮スプリング
５：取手
５ａ：取手の中空部
５ｂ：同胴部
５ｃ：同頭部
５ｄ：同ホルダボックス部
５ｅ：同ガイドボックス部
６：段付きねじ
７：Ｅリング
７ａ：Ｅリングの装着開口
７ｂ：脚部
８：ローラ軸
８ａ：ローラ軸の環状溝
【図１】
2005138228.tif 000003
【図２】
2005138228.tif 000004
【図３】
2005138228.tif 000005